(57)【要約】【課題】オゾンによる画像劣化を防止すると同時に、トナー飛散による装置内汚染を防止する。【解決手段】像担持体２１を帯電させるコロナ放電帯電器２２により帯電させられた像担持体の外周面を選択的に露光して形成された潜像にトナーを付与して現像するロータリ現像装置４０の円周回りにおいて、かつその現像ローラ４３の回転方向に関し、像担持体２１に対する現像部Ｄの下流側に、主として飛散トナーを吸引するためのトナー吸引用風路８０を形成し、現像部Ｄの上流側に、主としてオゾンを吸引するためのオゾン吸引用風路９０を形成した。【選択図】　　　　図２
2004045791.tif 000002
【特許請求の範囲】
【請求項１】
回転駆動される像担持体と、この像担持体に対向配置され、像担持体の外周面を帯電させる帯電手段と、この帯電手段により帯電させられた像担持体の外周面を選択的に露光して静電潜像を形成する露光手段と、回転体本体の間欠回転により、複数の現像部材で選択的に像担持体上の潜像にトナーを付与して現像することが可能なロータリ現像装置とを備えた画像形成装置であって、
前記ロータリ現像装置の円周回りにおいて、かつその現像部材の回転方向に関し、前記像担持体に対する現像部の下流側に、主として飛散トナーを吸引するためのトナー吸引用風路を形成するとともに、現像部の上流側に、主としてオゾンを吸引するためのオゾン吸引用風路を形成したことを特徴とする画像形成装置。
【請求項２】
前記トナー吸引用風路は、前記像担持体に対する現像部の下流側において前記ロータリ現像装置の円周回り沿って略半円筒状に形成されていることを特徴とする請求項１記載の画像形成装置。
【請求項３】
前記オゾン吸引用風路は、前記像担持体に対する現像部の上流側において前記ロータリ現像装置の円周回り沿って略半円筒状に形成されていることを特徴とする請求項１または２記載の画像形成装置。
【請求項４】
前記トナー吸引用風路、オゾン吸引用風路のうちの少なくとも一方の風路の少なくとも一部を画像形成装置のフレームで形成したことを特徴とする請求項１〜３のうちいずれか１項に記載の画像形成装置。
【請求項５】
前記トナー吸引用風路の排気部には第１の排気ファンが設けられているとともに、前記オゾン吸引用風路の排気部には第２の排気ファンが設けられていることを特徴とする請求項１〜４のうちいずれか１項に記載の画像形成装置。
【請求項６】
前記第１の排気ファンによる排気量に比べて、前記第２の排気ファンによる排気量の方が小さいことことを特徴とする請求項５記載の画像形成装置。
【発明の詳細な説明】
【０００１】
【発明の属する技術分野】
本発明は、電子写真技術を用いて画像を形成するプリンター、ファクシミリ、複写機等の画像形成装置に関する。特に、オゾンを発生する帯電手段を用いた装置におけるオゾン対策および、現像部における飛散トナー対策に関するものである。
【０００２】
【従来の技術】
一般に、電子写真技術を用いた画像形成装置として、外周面に感光層を有する感光体（像担持体）と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像装置とを備えた画像形成装置が知られている。
そして、帯電手段の中にはオゾンを発するものがあり、その一つとしてコロナ放電帯電器を用いたものが知られている。
また、現像装置としては、回転体本体の間欠回転により、複数の現像部材で選択的に像担持体上の潜像に各色トナーを付与して現像し、カラー画像を形成するロータリ現像装置が知られている。
【０００３】
【発明が解決しようとする課題】
帯電手段として、オゾンを発する帯電手段（例えばコロナ放電帯電器）を用いた場合、発生したオゾンが滞留すると感光体表面に悪影響を及ぼして画像を劣化させるという問題がある。
一方、現像装置による像担持体上の像の現像がなされている際には、その現像部において（主として現像部材の回転方向下流側（通常像担持体の回転方向下流側に）しばしばトナーが霧状に飛散し、このトナーによって装置内部が汚染されるという問題がある。また、上記のようなロータリ現像装置の場合、回転体本体の間欠回転により、複数の現像部材（現像色）を切り換えて現像するから、その切り換え動作時にトナーが飛散しやすく、このトナーもやはり、装置内を汚染する。
このようなオゾンおよび飛散トナーに対する対策としては、現像部材の回転方向に関し、像担持体に対する現像部の下流側に、主として飛散トナーを吸引するためのトナー吸引用風路を形成し、このトナー吸引用風路によって、飛散トナーとともにオゾンも吸引するようにすることが考えられる。
【０００４】
ところが、そのような構成、すなわち、現像部材の回転方向に関し、像担持体に対する現像部の下流側に、主として飛散トナーを吸引するためのトナー吸引用風路を形成し、このトナー吸引用風路によって、飛散トナーとともにオゾンも吸引する構成とした場合、次のような問題が生じることが分かった。
すなわち、単一色のみの画像（例えばモノクロ画像）を連続して形成した場合、その間は、像担持体に対する現像部材の切り換えがなされず、特定色用の現像部材が像担持体に対して接触あるいは極めて近接した状態となっているため、現像部において現像部材の回転方向上流側から下流側に向かう空気の流れが遮断されるかあるいは極めて少なくなる。
このため、現像部材の回転方向下流側に飛散したトナーは前記トナー吸引用風路によって吸引されるが、現像部材の回転方向上流側においてはオゾンが滞留し、この滞留オゾンが像担持体表面に悪影響を及ぼして画像を劣化させるという問題が生じることが分かった。
【０００５】
この発明の目的は、以上のような問題を解決し、オゾンによる画像劣化を防止することができると同時に、トナー飛散による装置内汚染を防止することができる画像形成装置を提供することにある。
【０００６】
【課題を解決するための手段】
上記目的を達成するために請求項１記載の画像形成装置は、回転駆動される像担持体と、この像担持体に対向配置され、像担持体の外周面を帯電させる帯電手段と、この帯電手段により帯電させられた像担持体の外周面を選択的に露光して静電潜像を形成する露光手段と、回転体本体の間欠回転により、複数の現像部材で選択的に像担持体上の潜像にトナーを付与して現像することが可能なロータリ現像装置とを備えた画像形成装置であって、
前記ロータリ現像装置の円周回りにおいて、かつその現像部材の回転方向に関し、前記像担持体に対する現像部の下流側に、主として飛散トナーを吸引するためのトナー吸引用風路を形成するとともに、現像部の上流側に、主としてオゾンを吸引するためのオゾン吸引用風路を形成したことを特徴とする。
請求項２記載の画像形成装置は、請求項１記載の画像形成装置において、前記トナー吸引用風路は、前記像担持体に対する現像部の下流側において前記ロータリ現像装置の円周回り沿って略半円筒状に形成されていることを特徴とする。
請求項３記載の画像形成装置は、請求項１または２記載の画像形成装置において、前記オゾン吸引用風路は、前記像担持体に対する現像部の上流側において前記ロータリ現像装置の円周回り沿って略半円筒状に形成されていることを特徴とする。
請求項４記載の画像形成装置は、請求項１〜３のうちいずれか１項に記載の画像形成装置において、前記トナー吸引用風路、オゾン吸引用風路のうちの少なくとも一方の風路の少なくとも一部を画像形成装置のフレームで形成したことを特徴とする。
請求項５記載の画像形成装置は、請求項１〜４のうちいずれか１項に記載の画像形成装置において、前記トナー吸引用風路の排気部には第１の排気ファンが設けられているとともに、前記オゾン吸引用風路の排気部には第２の排気ファンが設けられていることを特徴とする。
請求項６記載の画像形成装置は、請求項５記載の画像形成装置において、前記第１の排気ファンによる排気量に比べて、前記第２の排気ファンによる排気量の方が小さいことことを特徴とする。
【０００７】
【作用効果】
請求項１記載の画像形成装置は、回転駆動される像担持体と、この像担持体に対向配置され、像担持体の外周面を帯電させる帯電手段と、この帯電手段により帯電させられた像担持体の外周面を選択的に露光して静電潜像を形成する露光手段と、回転体本体の間欠回転により、複数の現像部材で選択的に像担持体上の潜像にトナーを付与して現像することが可能なロータリ現像装置とを備えた画像形成装置であって、
前記ロータリ現像装置の円周回りにおいて、かつその現像部材の回転方向に関し、前記像担持体に対する現像部の下流側に、主として飛散トナーを吸引するためのトナー吸引用風路を形成するとともに、現像部の上流側に、主としてオゾンを吸引するためのオゾン吸引用風路を形成した構成となっているので、この画像形成装置によれば次のような作用効果が得られる。
すなわち、上述したように、単一色のみの画像（例えばモノクロ画像）を連続して形成した場合（あるいは上記ロータリ現像装置に単一色（例えば黒）用の現像部材のみを取り付けて単一色用の現像装置として構成した場合）には、その間は、像担持体に対する現像部材の切り換えがなされず、特定色用の現像部材が像担持体に対して接触あるいは極めて近接した状態となって、現像部において現像部材の回転方向上流側から下流側に向かう空気の流れが遮断されるかあるいは極めて少なくなる。
しかしながら、この請求項１記載の画像形成装置によれば、現像部材の回転方向下流側に飛散したトナーはトナー吸引用風路によって吸引され、現像部材の回転方向上流側に滞留しようとするオゾンは前記オゾン吸引用風路によって吸引されることとなる。
したがって、現像部材の回転方向上流側におけるオゾンの滞留が防止され、画像劣化も防止されることとなる。
なお、カラー画像が形成される場合には、現像部材が像担持体に対して接触あるいは極めて近接した状態となっている現像時には、上記の場合と同様、現像部材の回転方向下流側に飛散したトナーがトナー吸引用風路によって吸引され、現像部材の回転方向上流側に滞留しようとするオゾンは前記オゾン吸引用風路によって吸引されるが、現像部材の切り換え時には、現像部材が像担持体から離間して現像部材と像担持体との間に比較的大きな間隙が形成されるから、トナー吸引用風路によってもオゾンが吸引されることとなる。
請求項２記載の画像形成装置によれば、請求項１記載の画像形成装置において、前記トナー吸引用風路は、前記像担持体に対する現像部の下流側において前記ロータリ現像装置の円周回り沿って略半円筒状に形成されているので、ロータリ現像装置の円周回りの空間を利用して良好に風路を形成することができる。したがってまた、装置を小型化することができる。
請求項３記載の画像形成装置によれば、請求項１または２記載の画像形成装置において、前記オゾン吸引用風路は、前記像担持体に対する現像部の上流側において前記ロータリ現像装置の円周回り沿って略半円筒状に形成されているので、ロータリ現像装置の円周回りの空間を利用して良好に風路を形成することができる。したがってまた、装置を小型化することができる。
特に請求項２の構成と組み合わせた場合には、ロータリ現像装置の円周回りの空間を略半分ずつ利用してトナー吸引用風路とオゾン吸引用風路とを良好に形成することができ、したがってまた、装置をより一層小型化することができる。
請求項４記載の画像形成装置によれば、請求項１〜３のうちいずれか１項に記載の画像形成装置において、前記トナー吸引用風路、オゾン吸引用風路のうちの少なくとも一方の風路の少なくとも一部を画像形成装置のフレームで形成した構成としてあるので、少なくとも一方の風路に関しては当該風路を形成するための長いダクト部材が不要となり、装置の組立性が向上するとともに、装置のさらなる小型化も可能となる。
請求項５記載の画像形成装置によれば、請求項１〜４のうちいずれか１項に記載の画像形成装置において、前記トナー吸引用風路の排気部には第１の排気ファンが設けられているとともに、前記オゾン吸引用風路の排気部には第２の排気ファンが設けられているので、トナー吸引用風路によるトナー吸引力と、オゾン吸引用風路によるオゾン吸引力とを、それぞれ適切にかつ容易に設定することが可能となる。
請求項６記載の画像形成装置によれば、請求項５記載の画像形成装置において、前記第１の排気ファンによる排気量に比べて、前記第２の排気ファンによる排気量の方が小さくなるように構成されているので、現像部材の切り換え時に、トナー吸引用風路に向かう空気流に大きな乱れが生じなくなり、飛散トナーが良好に吸引されることとなる。
【０００８】
【発明の実施の形態】
以下、本発明の実施の形態について図面を参照して説明する。
図１は本発明に係る画像形成装置の一実施の形態の内部構造を示す概略正面図、図２はその要部の拡大図である。
図１に示すように、この画像形成装置は、用紙の両面にフルカラー画像を形成することのできる装置であり、ケース１０と、このケース１０内に収容された、像担持体ユニット２０と、露光手段としての露光ユニット３０と、現像装置４０と、中間転写体ユニット５０と、定着ユニット６０とを備えている。
【０００９】
ケース１０には装置本体のフレーム（このフレームの一部を符号１１で示してある）が設けられており、このフレームに各ユニットおよび各部材の駆動手段等が取り付けられている。
【００１０】
像担持体ユニット２０は、外周面に感光層を有し回転駆動される感光体（像担持体）２１と、この感光体２１の外周面を一様に帯電させる帯電手段としてのコロナ放電帯電器２２とを有しており、この帯電手段２２により一様に帯電させられた感光体２１の外周面を露光ユニット３０からのレーザー光で選択的に露光して静電潜像を形成し、この静電潜像に現像装置４０で現像剤であるトナーを付与して可視像（トナー像）とし、このトナー像を中間転写体ユニット５０の中間転写体（中間転写ベルト）５１に一次転写部Ｔ１で一次転写し、さらに、二次転写部Ｔ２で、転写対象である用紙に二次転写させるようになっている。
【００１１】
ケース１０内には、上記二次転写部Ｔ２により片面に画像が形成された用紙をケース１０上面の用紙排出部（排紙トレイ部）１５に向けて搬送する搬送路１６と、この搬送路１６により用紙排出部１５に向けて搬送された用紙をスイッチバックさせて他面にも画像を形成すべく前記二次転写部Ｔ２に向けて返送する返送路１７とが設けられている。
ケース１０の下部には、複数枚の用紙を積層保持する給紙トレイ１８と、その用紙を一枚ずつ上記二次転写部Ｔ２に向けて給送する給紙ローラ１９とが設けられている。
【００１２】
現像装置４０はロータリ現像装置であり、回転体本体４１に対して、複数の現像カートリッジが着脱可能に装着されている。この実施の形態では、イエロー用の現像カートリッジ４２Ｙと、マゼンタ用の現像カートリッジ４２Ｍと、シアン用の現像カートリッジ４２Ｃと、ブラック用の現像カートリッジ４２Ｋとが設けられていて、回転体本体４１が矢印方向に９０度ピッチで回転することによって、現像カートリッジ４２の現像ローラ４３を選択的に感光体２１に対して接触（または近接）させて対向させ、感光体２１の表面を選択的に現像することが可能となっている。
【００１３】
中間転写体ユニット５０は、図示しないユニットフレームと、このフレームで回転可能に支持された駆動ローラ５４，従動ローラ５５，一次転写ローラ５６、一次転写部Ｔ１でのベルト５１の状態を安定させるためのガイドローラ５７，およびテンションローラ５８と、これらローラに掛け回されて張架された前記中間転写ベルト５１とを備えており、ベルト５１が図示矢印方向に循環駆動される。感光体２１と一次転写ローラ５６との間において前記一次転写部Ｔ１が形成されており、駆動ローラ５４と本体側に設けられた二次転写ローラ１０ｂとの圧接部において前記二次転写部Ｔ２が形成される。
二次転写ローラ１０ｂは、前記駆動ローラ５４に対して（したがって中間転写ベルト５１に対して）接離可能であり、接触した際に二次転写部Ｔ２が形成される。
したがって、カラー画像を形成する際には、二次転写ローラ１０ｂが中間転写ベルト５１から離間している状態で中間転写ベルト５１上において複数色のトナー像が重ね合わされてカラー画像が形成され、その後、二次転写ローラ１０ｂが中間転写ベルト５１に当接し、その当接部（二次転写部Ｔ２）に用紙が供給されることによって用紙上に画像が転写されることとなる。
【００１４】
例えば以上のような画像形成装置にあっては、コロナ放電帯電器２２内にはオゾンが発生し、このオゾンが滞留すると感光体２１表面に悪影響を及ぼして画像を劣化させるおそれがある。
また、現像装置による像担持体２１上の像の現像がなされている際には、その現像部Ｄ（図２参照）においてしばしばトナーが霧状に飛散し、これを放置すると、このトナーによって装置内部が汚染されることとなる。
特に、上記のようなロータリ現像装置４０の場合、回転体本体４１の間欠回転により、複数の現像部材４３（現像色）を切り換えて現像するから、その切り換え動作時にトナーが飛散しやすく、これを放置すると、やはり装置内が汚染される。
【００１５】
そこで、この実施の形態では、図２に示すように、ロータリ現像装置４０の円周回りにおいて、かつその現像部材４３の回転方向（図において反時計方向）に関し、像担持体２１に対する現像部Ｄの下流側に、主として飛散トナーを吸引するためのトナー吸引用風路８０を形成するとともに、現像部Ｄの上流側に、主としてオゾンを吸引するためのオゾン吸引用風路９０を形成してある。
【００１６】
トナー吸引用風路８０は、像担持体に対する現像部Ｄの下流側においてロータリ現像装置４０の円周回り沿って略半円筒状に形成されている。
トナー吸引用風路８０はトナー吸引ダクト（８０）で構成されており、その先端部にトナー吸引口８１が形成されている。
図３は、主としてトナー吸引ダクト８０を示す平断面図である。
トナー吸引ダクト８０の終端部（排気部）には排気ファン（第１の排気ファン）８３が設けられており、このファン８３の作動で上記吸引口８１から主として飛散トナーが吸引されるが、後述するようにオゾンも吸引される。
図２および図３に示すように、トナー吸引ダクト８０の中間部には、画像形成装置前面（図１参照）から抜き差し可能（着脱可能）なフィルタユニットＦが設けられており、このフィルタユニットＦはユニットケースＦ１と、このケースＦ１内に組み込まれたトナーフィルタＦ２と、オゾンフィルタＦ３とを備えている。　したがって、上記吸引口８１から吸引されたオゾンおよびトナーは、このフィルタユニットＦで濾過され、きれいになった空気がファン８３によって装置外部に排出される。
【００１７】
オゾン吸引用風路９０は、像担持体に対する現像部Ｄの上流側においてロータリ現像装置４０の円周回り沿って略半円筒状に形成されている。
オゾン吸引用風路９０は、露光ユニット３０から感光体２１に向けてレーザー光Ｌを照射する照射窓３１への現像部Ｄからの落下トナーを遮蔽する遮蔽板９１と、この遮蔽板９１が取り付けられている前記フレーム１１と、さらにこのフレーム１１に取り付けられている短めのダクト９２とで形成されている。
ダクト９２の終端部（排気部）には排気ファン（第２の排気ファン）９３が設けられており、このファン９３の作動でオゾン吸引用風路９０を通じて、主としてオゾンが吸引されるが、多少の浮遊トナーも吸引される。
図２に示すように、ダクト９２の中間部には、オゾンフィルタＦ４が設けられている。したがって、オゾン吸引用風路９０を通じて吸引されたオゾン（および僅かなトナー）は、このフィルタＦ４で濾過され、きれいになった空気がファン９３によって装置外部に排出される。
【００１８】
なお、トナー吸引ダクト８０とダクト９２とをその終端部（排気部）において連結し、この排気部に１つの排気ファンを設けるように構成することも可能であるが、この実施の形態では、上述したように、トナー吸引用風路８０の排気部には第１の排気ファン８３を設けるとともに、オゾン吸引用風路９０の排気部には第２の排気ファン９３を設け、さらに、第１の排気ファン８３による排気量に比べて、第２の排気ファン９３による排気量の方が小さくなるように構成してある。例えば、第１の排気ファン８３に比べて、第２の排気ファン９３を小型のファンで構成する。
【００１９】
さらにこの実施の形態では、コロナ放電帯電器２２における、現像部材４３側の壁面にオゾン排出送風口２５ａを設け、このオゾン排出送風口２５ａに対して現像部Ｄを挟んで反対側に、トナー吸引口８１を設けた構成としてある。
また、現像部Ｄに対し、オゾン排出送風口２５ａを像担持体の回転方向（時計方向）上流側（この実施の形態では下方）に、前記トナー吸引口８１を像担持体２１の回転方向下流側（この実施の形態では上方）に設けた構成としてある。
さらに、現像部材４３を現像ローラで構成するとともに、この現像ローラ４３による現像部Ｄに対し、オゾン排出送風口２５ａを現像ローラ４３の回転方向（反時計方向）上流側（この実施の形態では下方）に、前記トナー吸引口８１を現像ローラ４３の回転方向下流側（この実施の形態では上方）に設けた構成としてある。
またさらに、現像部Ｄに対し、オゾン排出送風口２５ａをロータリ現像装置４０の回転体本体４１の回転方向（反時計方向）上流側（この実施の形態では下方）に、トナー吸引口８１を回転体本体４１の回転方向下流側（この実施の形態では上方）に設けた構成としてある。
【００２０】
前述した排気ファン８３、９３の作動により、トナー吸引ダクト８０およびオゾン吸引用風路９０による空気の流れが形成されるが、この実施の形態では、その空気の流れをより円滑にするために、送風手段が設けられている。
図４は送風手段を示す図で、装置本体から取り外した像担持体ユニット２０および送風ユニット７０を示す斜視図である。また、図５は送風手段と上記オゾン吸引用風路９０との関係を示す斜視図である。さらに、図６は画像形成装置を正面側から見た斜視図、図７は背面側から見た斜視図である。
【００２１】
図４および図５に示すように、送風ユニット７０は、送風ファン７１と、送風ダクト７２とを備えており、送風ダクト７２の送風口７２ｃが像担持体ユニット２０のケース２３に形成された連結口２４に連結されている。連結口２４は帯電手段であるコロナ放電帯電器２２の長手方向において帯電器２２に向かって開口している。図２にも示したように、帯電器２２におけるシールド板２５の上記現像部Ｄ側（現像部材４３側）には多数の開口（２５ａ）が設けられており、この開口（２５ａ）が前述したオゾン排出送風口２５ａを構成している。
したがって、送風ファン７１が作動すると、送風ファン７１からの空気が、ダクト７２および上記連結口２４を通って帯電器２２に対してその長手方向から吹き付けられ、図２に示すように、シールド板２５のオゾン排出送風口２５ａから矢印ａ０で示すように上記現像部Ｄ側に向けて空気が吹き出されるようになっている。
【００２２】
なお、図６において、１２は、上記像担持体ユニット２０、現像カートリッジ４２，フィルタユニットＦ等を着脱する際に開閉されるるカバーである。
【００２３】
以上のような画像形成装置によれば次のような作用効果が得られる。
（ａ）回転駆動される像担持体２１と、この像担持体２１に対向配置され、像担持体２１の外周面を帯電させる帯電手段２２と、この帯電手段２２により帯電させられた像担持体２１の外周面を選択的に露光して静電潜像を形成する露光手段３０と、回転体本体４１の間欠回転により、複数の現像部材４３で選択的に像担持体２１上の潜像にトナーを付与して現像することが可能なロータリ現像装置４０とを備え、ロータリ現像装置４０の円周回りにおいて、かつその現像部材４３の回転方向に関し、像担持体２１に対する現像部Ｄの下流側に、主として飛散トナーを吸引するためのトナー吸引用風路８０を形成するとともに、現像部Ｄの上流側に、主としてオゾンを吸引するためのオゾン吸引用風路９０を形成した構成となっているので、次のような作用効果が得られる。
すなわち前述したように、単一色のみの画像（例えばモノクロ画像）を連続して形成した場合（あるいは上記ロータリ現像装置４０に単一色（例えば黒）用の現像部材（現像カートリッジ４２Ｋ）のみを取り付けて単一色用の現像装置として構成した場合）には、その間は、像担持体２１に対する現像部材４３の切り換えがなされず、特定色用の現像部材４３が像担持体２１に対して接触（あるいは極めて近接）した状態となって、現像部Ｄにおいて現像部材４３の回転方向上流側から下流側に向かう空気の流れが遮断されるかあるいは極めて少なくなる。
しかしながら、この画像形成装置によれば、現像部材４３の回転方向下流側に飛散したトナーはトナー吸引用風路８０によって、図２に矢印ａ１で示すように吸引され、現像部材４３の回転方向上流側に滞留しようとするオゾンはオゾン吸引用風路９０によって図２に矢印ａ２で示すように吸引されることとなる。
したがって、現像部材４３の回転方向上流側におけるオゾンの滞留が防止され、画像劣化も防止されることとなる。
なお、カラー画像が形成される場合には、現像部材４３が像担持体２１に対して接触あるいは極めて近接した状態となっている現像時には、上記の場合と同様、現像部材４３の回転方向下流側に飛散したトナーがトナー吸引用風路８０によって、図２に矢印ａ１で示すように吸引され、現像部材４３の回転方向上流側に滞留しようとするオゾンはオゾン吸引用風路９０によって図２に矢印ａ２で示すように吸引されるが、現像部材４３の切り換え時には、図８に示すように、回転体４１が回転し現像部材４３が像担持体２１から離間して現像部材４３と像担持体２１との間に比較的大きな間隙Ｃが形成されるから、トナー吸引用風路８０によっても矢印ａ２で示すようにオゾンが吸引されることとなる。
（ｂ）トナー吸引用風路８０は、像担持体２１に対する現像部Ｄの下流側においてロータリ現像装置４０の円周回り沿って略半円筒状に形成されているので、ロータリ現像装置４０の円周回りの空間を利用して良好に風路を形成することができる。したがってまた、装置を小型化することができる。
（ｃ）オゾン吸引用風路９０は、像担持体２１に対する現像部Ｄの上流側においてロータリ現像装置４０の円周回り沿って略半円筒状に形成されているので、ロータリ現像装置４０の円周回りの空間を利用して良好に風路を形成することができる。したがってまた、装置を小型化することができる。
特にこの実施の形態では、ロータリ現像装置４０の円周回りの空間を略半分ずつ利用してトナー吸引用風路８０とオゾン吸引用風路９０とを形成してあるので、装置をより一層小型化することができる。
（ｄ）オゾン吸引用風路９０の一部を画像形成装置のフレーム１１で形成した構成としてあるので、風路９０を形成するための長いダクト部材が不要となり（短いダクト９２で足り）、装置の組立性が向上するとともに、装置のさらなる小型化が可能となる。
なお、この実施の形態では、オゾン吸引用風路９０の一部を画像形成装置のフレーム１１で形成したが、トナー吸引用風路８０についても同様の構成とすることができる。
（ｅ）トナー吸引用風路８０の排気部には第１の排気ファン８３が設けられているとともに、オゾン吸引用風路９０の排気部には第２の排気ファン９３が設けられているので、トナー吸引用風路８０によるトナー吸引力と、オゾン吸引用風路９０によるオゾン吸引力とを、それぞれ適切にかつ容易に設定することが可能となる。
この実施の形態では、第１の排気ファン８３による排気量に比べて、第２の排気ファン９３による排気量の方が小さくなるように構成されているので、現像部材の切り換え時に（図８参照）、トナー吸引用風路８０に向かう空気流に大きな乱れが生じなくなり、飛散トナーが良好に吸引されることとなる。
【００２４】
（ｆ）コロナ放電帯電器２２における、現像部材４３側の壁面にオゾン排出送風口２５ａを設け、このオゾン排出送風口２５ａに対して現像部Ｄと同じ側にオゾン吸引用風路９０を設けた構成としてあるので、コロナ放電帯電器２２内で発生し、オゾン排出送風口２５ａから帯電器２２外へ排出されたオゾンが、現像時には、オゾン吸引用風路９０によって効率的に吸引されることとなる。
また、ロータリ現像装置４０による現像色切り換え動作時には、図８に示したように上記間隙Ｃを介してオゾンがトナー吸引ダクト８０により効率的に吸引されるとともに、現像色切り換え動作時にトナーが飛散したとしても、このトナーはトナー吸引口８１から効率的に吸引されることとなる。
以上のように、この画像形成装置によれば、現像時および現像色切り換え時のいずれにおいても、コロナ放電帯電器２２内で発生したオゾンと、飛散トナーと良好に吸引されることとなる。
したがって、オゾンによる画像劣化が防止されると同時に、トナー飛散による装置内汚染も防止されることとなる。
（ｇ）現像部Ｄに対し、トナー吸引口８１を像担持体２１の回転方向下流側に設けた構成としてあるので、さらに次のような作用効果が得られる。
現像時ないし現像色切り換え時に発生した霧状のトナーは、像担持体２１の回転によって生じる回転方向下流側へ向かう気流によって飛散されやすい。
これに対し、この画像形成装置によれば、現像部Ｄに対し、トナー吸引口８１を像担持体２１の回転方向下流側に設けてあるので、像担持体２１の回転によって生じる回転方向下流側へ向かう気流によってトナーをいたずらに飛散させることなくトナーを効率よくトナー吸引口８１から吸引することができる。
（ｈ）現像部材４３を現像ローラで構成するとともに、現像部Ｄに対し、現像ローラ４３の回転方向下流側にトナー吸引口８１を設けた構成としてあるので、さらに次のような作用効果が得られる。
現像部材４３を現像ローラで構成した場合、現像時ないし現像色切り換え時に発生した霧状のトナーは、現像ローラ４３の回転によって生じる回転方向下流側へ向かう気流によって飛散される。
これに対し、この画像形成装置によれば、現像部Ｄに対し、現像ローラ４３の回転方向下流側にトナー吸引口８１を設けた構成としてあるので、現像ローラ４３の回転によって生じる回転方向下流側へ向かう気流によってトナーをいたずらに飛散させることなくトナーを効率よくトナー吸引口８１から吸引することができる。
（ｈ）現像部Ｄに対し、オゾン排出送風口２５ａをロータリ現像装置４０の回転体本体４１の回転方向上流側に、トナー吸引口８１を回転体本体４１の回転方向下流側に設けた構成としてあるので、さらに次のような作用効果が得られる。
現像時ないし現像色切り換え時に発生した霧状のトナーは、ロータリ現像装置の回転体本体４１の回転によって生じる回転方向下流側へ向かう気流によって飛散される。
これに対し、この画像形成装置によれば、現像部Ｄに対し、オゾン排出送風口２５ａを回転体本体４１の回転方向上流側に、トナー吸引口８１を回転体本体４１の回転方向下流側に設けてあるので、現像色切り換え時に（図８参照）、オゾン排出送風口２５ａから前記隙間Ｃを通ってトナー吸引口８１へと向かう空気の流れと、回転体本体４１の回転によって生じる回転方向下流側へ向かう気流とが同方向となる。
したがって、トナーをいたずらに飛散させることなく（仮に上記両気流の方向が逆方向であったとするとトナーがいたずらに飛散するおそれがある）、トナーの飛散（拡散）を低減させつつ、トナーとオゾンとを効率よくトナー吸引口８１から吸引することができる。
【００２５】
以上、本発明の実施の形態について説明したが、本発明は上記の実施の形態に限定されるものではなく、本発明の要旨の範囲内において適宜変形実施可能である。
【００２６】
【発明の効果】
請求項１〜６記載のいずれの画像形成装置によっても、オゾンによる画像劣化が防止されると同時に、トナー飛散による装置内汚染も防止されることとなる。
さらに、
請求項２記載の画像形成装置によれば、ロータリ現像装置の円周回りの空間を利用して良好に風路を形成することができる。したがってまた、装置を小型化することができる。
請求項３記載の画像形成装置によれば、ロータリ現像装置の円周回りの空間を利用して良好に風路を形成することができる。したがってまた、装置を小型化することができる。
請求項４記載の画像形成装置によれば、少なくとも一方の風路に関しては当該風路を形成するための長いダクト部材が不要となり、装置の組立性が向上するとともに、装置のさらなる小型化も可能となる。
請求項５記載の画像形成装置によれば、トナー吸引用風路によるトナー吸引力と、オゾン吸引用風路によるオゾン吸引力とを、それぞれ適切にかつ容易に設定することが可能となる。
請求項６記載の画像形成装置によれば、現像部材の切り換え時に、トナー吸引用風路に向かう空気流に大きな乱れが生じなくなり、飛散トナーが良好に吸引されることとなる。
【００２７】
【図面の簡単な説明】
【図１】本発明に係る画像形成装置の一実施の形態の内部構造を示す概略正面図。
【図２】図１の要部の拡大図である。
【図３】主としてトナー吸引ダクト８０を示す平断面図。
【図４】送風手段を示す図で、装置本体から取り外した像担持体ユニット２０および送風ユニット７０を示す斜視図。
【図５】図５は送風手段と上記オゾン吸引用風路９０との関係を示す斜視図。
【図６】画像形成装置を正面側から見た斜視図。
【図７】画像形成装置を背面側から見た斜視図。
【図８】作動説明図。
【符号の説明】
１１　　フレーム
２１　　感光体（像担持体）
２２　　コロナ放電帯電器（帯電手段）
３０　　露光手段
４０　　ロータリ現像装置
Ｄ　　現像部
４１　　回転体本体
４３　　現像ローラ（現像部材）
８０　　トナー吸引ダクト（トナー吸引用風路）
８３　　第１の排気ファン
９０　　オゾン吸引用風路
９３　　第２の排気ファン
【図１】
2004045791.tif 000003
【図２】
2004045791.tif 000004
【図３】
2004045791.tif 000005
【図４】
2004045791.tif 000006
【図５】
2004045791.tif 000007
【図６】
2004045791.tif 000008
【図７】
2004045791.tif 000009
【図８】
2004045791.tif 000010